【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定すること、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信すること、前記送信は、それぞれの第２の送信電力レベルで送信される第２のセル固有基準信号を含み、前記それぞれの第２の送信電力レベルは、前記キャリアの第１のセットのうちの少なくとも１つのための前記それぞれの第１の送信電力レベルと異なる、と
を備える、方法。
【請求項２】
前記送信に関連する少なくとも１つのトラフィック対パイロット比（ＴＰＲ）インジケータを受信することと、
前記受信された第２のセル固有基準信号の測定電力レベルと、前記少なくとも１つのＴＰＲインジケータとに少なくとも部分的に基づいて前記送信を復調することと
をさらに備える、請求項１に記載の方法。
【請求項３】
前記第１のセル固有基準信号の前記測定値と前記受信された第２のセル固有基準信号の前記測定電力レベルとに少なくとも部分的に基づいて前記それぞれの第２の送信電力レベルを識別することをさらに備える、
請求項２に記載の方法。
【請求項４】
前記それぞれの第２の送信電力レベルの少なくとも１つのインジケータを受信することをさらに備える、
請求項１に記載の方法。
【請求項５】
送信キャリアの数に少なくとも部分的に基づいて前記キャリアの第１のセットのうちの少なくとも１つのキャリアのためのチャネルフィードバック測定値を決定することをさらに備える、
請求項１に記載の方法。
【請求項６】
基地局に、電力スペクトル密度測定値を示すチャネル状態情報（ＣＳＩ）フィードバックメッセージを送信することをさらに備える、
請求項５に記載の方法。
【請求項７】
前記ネットワーク報告測定値を決定することは、前記キャリアの第１のセットのための前記それぞれの第２の送信電力レベルで送信される前記第２のセル固有基準信号のチャネル測定値に部分的に基づく、
請求項１に記載の方法。
【請求項８】
前記それぞれの第２の送信電力レベルは、前記それぞれの第１の送信電力レベルに対する事前構成された値のセットのうちの値を備える、
請求項１に記載の方法。
【請求項９】
ワイヤレス通信のための装置であって、
発見基準信号（ＤＲＳ）構成に従って無線周波数（ＲＦ）スペクトル帯域の複数のキャリアをモニタするための手段、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定するための手段、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信するための手段、前記送信は、それぞれの第２の送信電力レベルで送信される第２のセル固有基準信号を含み、前記それぞれの第２の送信電力レベルは、前記キャリアの第１のセットのうちの少なくとも１つのための前記それぞれの第１の送信電力レベルと異なる、と
を備える、装置。
【請求項１０】
前記送信に関連する少なくとも１つのトラフィック対パイロット比（ＴＰＲ）インジケータを受信するための手段と、
前記受信された第２のセル固有基準信号の測定電力レベルと、前記少なくとも１つのＴＰＲインジケータとに少なくとも部分的に基づいて前記送信を復調するための手段と
をさらに備える、請求項９に記載の装置。
【請求項１１】
前記第１のセル固有基準信号の前記測定値と前記受信された第２のセル固有基準信号の前記測定電力レベルとに少なくとも部分的に基づいて前記それぞれの第２の送信電力レベルを識別するための手段をさらに備える、
請求項１０に記載の装置。
【請求項１２】
前記それぞれの第２の送信電力レベルの少なくとも１つのインジケータを受信するための手段をさらに備える、
請求項９に記載の装置。
【請求項１３】
送信キャリアの数に少なくとも部分的に基づいて前記キャリアの第１のセットのうちの少なくとも１つのキャリアのためのチャネルフィードバック測定値を決定するための手段をさらに備える、
請求項９に記載の装置。
【請求項１４】
基地局に、電力スペクトル密度測定値を示すチャネル状態情報（ＣＳＩ）フィードバックメッセージを送信するための手段をさらに備える、
請求項１３に記載の装置。
【請求項１５】
前記ネットワーク報告測定値を決定することは、前記キャリアの第１のセットのための前記それぞれの第２の送信電力レベルで送信される前記第２のセル固有基準信号のチャネル測定値に部分的に基づく、
請求項９に記載の装置。
【請求項１６】
前記それぞれの第２の送信電力レベルは、前記それぞれの第１の送信電力レベルに対する事前構成された値のセットのうちの値を備える、
請求項９に記載の装置。
【請求項１７】
ワイヤレス通信のための装置であって、
プロセッサと、
前記プロセッサと電子通信しているメモリと、
前記メモリに記憶され、前記プロセッサによって実行されたとき、前記装置に、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定すること、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信すること、前記送信が、それぞれの第２の送信電力レベルで送信される第２のセル固有基準信号を含み、前記それぞれの第２の送信電力レベルは、前記キャリアの第１のセットのうちの少なくとも１つのための前記それぞれの第１の送信電力レベルと異なる、と
を行わせるように動作可能な命令と
を備える、装置。
【請求項１８】
前記命令は、
前記送信に関連する少なくとも１つのトラフィック対パイロット比（ＴＰＲ）インジケータを受信することと、
前記受信された第２の基準信号の測定電力レベルと、前記少なくとも１つのＴＰＲインジケータとに少なくとも部分的に基づいて前記送信を復調することと
を行うように前記プロセッサによってさらに実行可能である、請求項１７に記載の装置。
【請求項１９】
前記命令は、
前記第１のセル固有基準信号の前記測定値と前記受信された第２のセル固有基準信号の前記測定電力レベルとに少なくとも部分的に基づいて前記それぞれの第２の送信電力レベルを識別することを行うようにプロセッサによってさらに実行可能である、
請求項１８に記載の装置。
【請求項２０】
前記命令は、
前記それぞれの第２の送信電力レベルの少なくとも１つのインジケータを受信することを行うようにプロセッサによってさらに実行可能である、
請求項１７に記載の装置。
【請求項２１】
前記命令は、
送信キャリアの数に少なくとも部分的に基づいて前記キャリアの第１のセットのうちの少なくとも１つのキャリアのためのチャネルフィードバック測定値を決定することを行うように前記プロセッサによってさらに実行可能である、
請求項１７に記載の装置。
【請求項２２】
前記命令が、
基地局に、電力スペクトル密度測定値を示すチャネル状態情報（ＣＳＩ）フィードバックメッセージを送信することを行うように前記プロセッサによってさらに実行可能である、
請求項２１に記載の装置。
【請求項２３】
前記ネットワーク報告測定値を決定することは、前記キャリアの第１のセットのための前記それぞれの第２の送信電力レベルで送信される前記第２のセル固有基準信号のチャネル測定値に部分的に基づく、
請求項１７に記載の装置。
【請求項２４】
前記それぞれの第２の送信電力レベルは、前記それぞれの第１の送信電力レベルに対する事前構成された値のセットのうちの値を備える、
請求項１７に記載の装置。
【請求項２５】
ワイヤレス通信のためのコードを記憶する非一時的コンピュータ可読媒体であって、前記コードは、
発見基準信号（ＤＲＳ）構成に従って無線周波数（ＲＦ）スペクトル帯域の複数のキャリアをモニタすること、ここにおいて、前記複数のキャリアを通じた送信は、リッスンビフォアトーク（ＬＢＴ）プロシージャの対象となる、と、
前記ＤＲＳ構成に従って前記複数のキャリアのうちの１つまたは複数を通じて送信される第１のセル固有基準信号の測定値に少なくとも部分的に基づいてネットワーク報告測定値を決定すること、ここにおいて、前記第１のセル固有基準信号は、前記複数のキャリアのために事前構成されたそれぞれの第１の送信電力レベルで送信される、と、
前記複数のキャリアのうちのキャリアの第１のセットを通じた送信を受信すること、前記送信は、それぞれの第２の送信電力レベルで送信される第２のセル固有基準信号を含み、
前記それぞれの第２の送信電力レベルは、前記キャリアの第１のセットのうちの少なくとも１つのための前記それぞれの第１の送信電力レベルと異なる、と
を行うためにプロセッサによって実行可能な命令を備える、非一時的コンピュータ可読媒体。
【請求項２６】
前記命令は、
前記送信に関連する少なくとも１つのトラフィック対パイロット比（ＴＰＲ）インジケータを受信することと、
前記受信された第２の基準信号の測定電力レベルと、前記少なくとも１つのＴＰＲインジケータとに少なくとも部分的に基づいて前記送信を復調することと
を行うようにプロセッサによってさらに実行可能である、請求項２５に記載の非一時的コンピュータ可読媒体。
【請求項２７】
前記命令は、前記第１のセル固有基準信号の前記測定値と前記受信された第２のセル固有基準信号の前記測定電力レベルとに少なくとも部分的に基づいて前記それぞれの第２の送信電力レベルを識別することを行うようにプロセッサによってさらに実行可能である、
請求項２６に記載の非一時的コンピュータ可読媒体。
【請求項２８】
前記それぞれの第２の送信電力レベルの少なくとも１つのインジケータを受信することを行うようにプロセッサによってさらに実行可能である、
請求項２５に記載の非一時的コンピュータ可読媒体。
【請求項２９】
前記命令は、
送信キャリアの数に少なくとも部分的に基づいて前記キャリアの第１のセットのうちの少なくとも１つのキャリアのためのチャネルフィードバック測定値を決定することを行うように前記プロセッサによってさらに実行可能である、
請求項２５に記載の非一時的コンピュータ可読媒体。
【請求項３０】
前記命令は、
基地局に、電力スペクトル密度測定値を示すチャネル状態情報（ＣＳＩ）フィードバックメッセージを送信することを行うように前記プロセッサによってさらに実行可能である、
請求項２９に記載の非一時的コンピュータ可読媒体。
【請求項３１】
前記ネットワーク報告測定値を前記決定することは、前記キャリアの第１のセットのための前記それぞれの第２の送信電力レベルで送信される前記第２のセル固有基準信号のチャネル測定値に部分的に基づく、
請求項２５に記載の非一時的コンピュータ可読媒体。
【請求項３２】
前記それぞれの第２の送信電力レベルは、前記それぞれの第１の送信電力レベルに対する事前構成された値のセットのうちの値を備える、
請求項２５に記載の非一時的コンピュータ可読媒体。